(57)【特許請求の範囲】
【請求項１】
湯張り運転、追焚き運転などの風呂機能運転、及び浴槽を自動洗浄する洗浄機能運転が行われる浴槽自動洗浄装置であって、
前記風呂機能運転を行うための風呂運転スイッチ、前記洗浄機能運転を行うための洗浄運転スイッチ、及び報知手段を有するリモコン装置と、
前記風呂運転スイッチがオン操作された後、風呂機能運転が終了する前に、前記洗浄運転スイッチがオン操作されて第１の運転重複環境になった場合、
前記第１の運転重複環境になったことを使用者に知らせるための第１の警告を報知し、
前記第１の警告の報知から所定時間が経過する前に、前記洗浄運転スイッチが再度操作される確認操作が行われない場合、風呂機能運転を継続し、
前記第１の警告の報知から所定時間が経過する前に、前記洗浄運転スイッチが再度操作される確認操作が行われた場合、風呂機能運転を中止して、洗浄機能運転を行なう制御手段とを備える浴槽自動洗浄装置。
【請求項２】
請求項１に記載の浴槽自動洗浄装置であって、
前記制御手段はさらに、前記風呂機能運転を中止して、洗浄機能運転を行った後、風呂機能運転を開始する浴槽自動洗浄装置。
【請求項３】
湯張り運転、追焚き運転などの風呂機能運転、及び浴槽を自動洗浄する洗浄機能運転が行われる浴槽自動洗浄装置であって、
前記風呂機能運転を行うための風呂運転スイッチ、前記洗浄機能運転を行うための洗浄運転スイッチ、及び報知手段を有するリモコン装置と、
前記洗浄運転スイッチがオン操作された後、洗浄機能運転が終了する前に、前記風呂運転スイッチがオン操作されて第２の運転重複環境になった場合、
前記第２の運転重複環境になったことを使用者に知らせるための第２の警告を報知し、
前記第２の警告の報知から所定時間が経過する前に、前記風呂運転スイッチが再度操作される確認操作が行われない場合、洗浄機能運転のみを継続し、
前記第２の警告の報知から所定時間が経過する前に、前記風呂運転スイッチが再度操作される確認操作が行われた場合、前記洗浄機能運転の運転状態が洗浄液による洗浄工程より前であれば、洗浄機能運転を中止して、風呂機能運転を行ない、前記洗浄機能運転の運転状態が洗浄液による洗浄工程以降であれば、洗浄機能運転を継続し、洗浄機能運転の終了後に風呂機能運転を行なう制御手段とを備える浴槽自動洗浄装置。
【請求項４】
湯張り運転、追焚き運転などの風呂機能運転、及び浴槽を自動洗浄する洗浄機能運転が行われる浴槽自動洗浄装置であって、
前記風呂機能運転を行うための風呂運転スイッチ、前記洗浄機能運転を行うための洗浄運転スイッチ、及び報知手段を有するリモコン装置と、
前記洗浄運転スイッチがオン操作された後、洗浄機能運転が終了する前に、前記風呂運転スイッチがオン操作されて第２の運転重複環境になった場合、
前記第２の運転重複環境になったことを使用者に知らせるための第２の警告を報知し、
前記第２の警告の報知から所定時間が経過する前に、前記風呂運転スイッチが再度操作される確認操作が行われない場合、洗浄機能運転のみを継続し、
前記第２の警告の報知から所定時間が経過する前に、前記風呂運転スイッチが再度操作される確認操作が行われた場合、前記洗浄機能運転の運転状態が洗浄液による洗浄工程より前であれば、洗浄機能運転を中止して、風呂機能運転を行ない、前記洗浄機能運転の運転状態が洗浄液による洗浄工程以降であれば、洗浄機能運転を中止するとともに、手動すすぎを必要とする旨のすすぎ警告を報知する制御手段とを備える浴槽自動洗浄装置。
【請求項５】
湯張り運転、追焚き運転などの風呂機能運転、及び浴槽を自動洗浄する洗浄機能運転が行われる浴槽自動洗浄装置であって、
前記風呂機能運転を行うための風呂運転スイッチ、前記洗浄機能運転を行うための洗浄運転スイッチ、及び報知手段を有するリモコン装置と、
前記洗浄運転スイッチがオン操作された後、洗浄機能運転が終了する前に、前記洗浄運転スイッチがオフ操作されて洗浄運転キャンセル環境になった場合、
前記洗浄運転キャンセル環境になったことを使用者に知らせるためのキャンセル警告を報知し、
前記キャンセル警告の報知から所定時間が経過する前に、前記洗浄運転スイッチが再度操作される確認操作が行われない場合、洗浄機能運転を継続し、
前記キャンセル警告の報知から所定時間が経過する前に、前記洗浄運転スイッチが再度操作される確認操作が行われた場合、前記洗浄機能運転の運転状態が洗浄液による洗浄工程より前であれば、洗浄機能運転を中止し、前記洗浄機能運転の運転状態が洗浄液による洗浄工程以降であれば、洗浄機能運転を継続する制御手段とを備える浴槽自動洗浄装置。
【請求項６】
湯張り運転、追焚き運転などの風呂機能運転、及び浴槽を自動洗浄する洗浄機能運転が行われる浴槽自動洗浄装置であって、
前記風呂機能運転を行うための風呂運転スイッチ、前記洗浄機能運転を行うための洗浄運転スイッチ、及び報知手段を有するリモコン装置と、
前記洗浄運転スイッチがオン操作された後、洗浄機能運転が終了する前に、前記洗浄運転スイッチがオフ操作されて洗浄運転キャンセル環境になった場合、
前記洗浄運転キャンセル環境になったことを使用者に知らせるためのキャンセル警告を報知し、
前記キャンセル警告の報知から所定時間が経過する前に、前記洗浄運転スイッチが再度操作される確認操作が行われない場合、洗浄機能運転を継続し、
前記キャンセル警告の報知から所定時間が経過する前に、前記洗浄運転スイッチが再度操作される確認操作が行われた場合、前記洗浄機能運転の運転状態が洗浄液による洗浄工程より前であれば、洗浄機能運転を中止し、前記洗浄機能運転の運転状態が洗浄液による洗浄工程以降であれば、洗浄機能運転を中止するとともに、手動すすぎを必要とする旨のすすぎ警告を報知する制御手段とを備える浴槽自動洗浄装置。
【発明の詳細な説明】
【技術分野】
【０００１】
本発明は、湯張り運転、追焚き運転などの風呂機能運転、及び浴槽を自動洗浄する洗浄機能運転が行われる浴槽自動洗浄装置に関する。
【背景技術】
【０００２】
従来、浴槽の湯張り運転、湯張りした後に湯を追焚き保温するための追焚き運転、さらには入浴時に補水を行うための補水運転などの風呂機能運転が行われる自動給湯器が提供されている。また、上記風呂機能運転とともに、浴槽内に設けた洗浄ノズルから洗剤を含んだ洗浄液を噴射して浴槽を自動的に洗浄する洗浄機能運転が行われる浴槽自動洗浄装置が提供されている。
この種の浴槽自動洗浄装置においては、風呂機能運転と洗浄機能運転とが独立した運転形式となっているため、浴室あるいは台所などに設けられたリモコン装置でそれぞれの運転スイッチを操作することにより各運転が個別に行われている。
【０００３】
しかしながら、風呂機能運転が行われている最中に、洗浄機能運転が開始された場合や、反対に洗浄機能運転が行われている最中に、風呂機能運転が開始された場合、先に指定した運転が開始された後に、後から指定した運転が開始されると、先に指定した運転が中断されたり、先に指定した運転の途中で後から指定した運転が開始されるという不都合がある。このため、風呂機能運転と洗浄機能運転とが相互に他方の機能運転による割り込みをかけられた場合でも、その割り込みによって運転上の悪影響がでないよう、各運転を行う必要がある。
【０００４】
上記のような問題を解決するため、例えば、特許文献１では、風呂機能運転が行われている場合には、洗浄機能運転の運転スイッチがオン操作されても、後から指定された洗浄機能運転を受け付けず、洗浄機能運転を行わない構成としたコントローラを設けた浴槽自動洗浄装置や、洗浄機能運転が洗浄液を用いた洗浄工程中にあるときもしくは洗浄液を用いた洗浄工程後に洗浄液を洗い流すすすぎ工程中にあるときは、後から風呂機能運転の風呂運転スイッチがオン操作されたり、洗浄機能運転がオフ操作されても、すすぎ工程が終了するまで風呂運転スイッチのオン操作や洗浄運転スイッチのオフ操作を受け付けない構成としたコントローラを設けた浴槽自動洗浄装置が提案されている。
【０００５】
また、特許文献２では、湯張り運転中に、洗浄機能運転の運転スイッチがオン操作された場合に、洗浄ユニットへ洗浄機能運転のオン指令を出さないとともに、湯張り運転スイッチのオフ操作を行った後に、洗浄機能運転の運転スイッチをオン操作する旨を報知する浴槽自動洗浄装置が提案されている。
【特許文献１】特許第３５９３８４１号公報
【特許文献２】特開２００２−８１７４０号公報
【発明の開示】
【発明が解決しようとする課題】
【０００６】
上記のような浴槽自動洗浄装置は、後から指定された運転操作が受け付けられず、各機能運転を重複して指定することができないため、使用者が運転状態を判断する必要がない点や先の運転が中断されることがない点で好ましい。
ところが、上記のような浴槽自動洗浄装置では、使用者は後から指定した運転が機能しないため、違和感を覚え、リモコン装置が不全に陥ったと考える場合がある。また、使用者が先の運転を指定したことを忘れていた場合や、先の運転を指定した使用者と異なる使用者が先に指定された運転を知らない場合、後から異なる運転を行おうとして運転スイッチを操作しても、その運転操作が受け付けられないために、同様に使用者はリモコン装置の操作に違和感を覚える。さらに、上記のような浴槽自動洗浄装置は、使用者が運転を誤って指定した場合でも、後から指定した運転操作が受け付けられないため、先の運転が終了するまで後の運転操作の開始を待たなければならないという問題がある。例えば、上記特許文献１の浴槽自動洗浄装置では、使用者が浴槽の洗浄を忘れて湯張り運転を開始させた場合に、湯張り運転が終了するまで後から指定した洗浄機能運転を開始することができない。
【０００７】
一方、各機能運転が個別に運転操作されている場合には、先に指定された運転を中止して後の運転を新たに指定することも可能であるが、風呂機能運転と洗浄機能運転の両機能運転が行われる浴槽自動洗浄装置では、例えば、先に指定した風呂機能運転が誤って中止され、後から指定された洗浄機能運転が直ちに開始されると、洗浄機能運転の開始によって排水が行われるため、それまで湯張りされた湯が無駄になるという問題がある。また、先に指定された洗浄機能運転が途中で中止され、後から指定された風呂機能運転が開始された場合には、洗浄機能運転の運転状態によっては、洗剤を含んだ洗浄液が浴槽に付着したままの状態で風呂機能運転が開始される可能性がある。従って、両機能運転が行われる浴槽自動洗浄装置においては、先に指定された運転が開始された後は、その運転状態に応じて後に指定された運転を行うことが望まれる。
【０００８】
本発明は上記課題を解決するためになされたものであり、湯張り運転、追焚き運転などの風呂機能運転、及び浴槽を自動洗浄する洗浄機能運転が行われる浴槽自動洗浄装置において、先に指定された運転操作と異なる運転操作が重複して行われた場合でも、リモコン装置が後から指定された運転操作を受け付け、使用者にリモコン装置を操作する際の違和感を与えない浴槽自動洗浄装置を提供すること、並びに、後から指定された運転操作を優先させることによって生ずる問題を回避可能な浴槽自動洗浄装置を提供すること目的とする。
【課題を解決するための手段】
【０００９】
（１）本発明は、湯張り運転、追焚き運転などの風呂機能運転、及び浴槽を自動洗浄する洗浄機能運転が行われる浴槽自動洗浄装置であって、
前記風呂機能運転を行うための風呂運転スイッチ、前記洗浄機能運転を行うための洗浄運転スイッチ、及び報知手段を有するリモコン装置と、
前記風呂運転スイッチがオン操作された後、風呂機能運転が終了する前に、前記洗浄運転スイッチがオン操作される第１の運転重複環境の場合、
前記第１の運転重複環境にあることを使用者に知らせるための第１の警告を報知し、
前記第１の警告の報知後、前記洗浄運転スイッチが再度操作される確認操作が行われない場合、風呂機能運転を継続し、
前記第１の警告の報知後、前記洗浄運転スイッチが再度操作される確認操作が行われた場合、風呂機能運転を中止して、洗浄機能運転を行なう制御手段とを備える浴槽自動洗浄装置である。
【００１０】
上記浴槽自動洗浄装置によれば、風呂機能運転が開始された後でも、リモコン装置が洗浄運転スイッチのオン操作を受け付け、後から指定された洗浄運転スイッチのオン操作が拒否されないため、使用者に違和感を与えない。また、上記洗浄運転スイッチがオン操作されると、先に指定された風呂機能運転と、後から指定された洗浄機能運転とが重複していることを知らせる第１の警告が報知されるため、使用者が風呂機能運転を開始したことを忘れていた場合や、異なる使用者が洗浄機能運転を開始しようとした場合でも、前記第１の警告により風呂機能運転と洗浄機能運転とが重複していることを使用者に認知させることができる。そして、使用者が誤って洗浄機能運転を後から指定した場合でも、再度洗浄運転スイッチが操作されなければ洗浄機能運転が開始されないため、風呂機能運転が中途で中止されて、それまで湯張りされた湯が無駄になることがない。一方、使用者が風呂機能運転よりも洗浄機能運転を優先させたい場合には、洗浄運転スイッチを再度操作することにより風呂機能運転が中止されるため、直ちに洗浄機能運転を開始させることができる。
【００１１】
（２）上記（１）の前記制御手段はさらに、前記風呂機能運転を中止して、洗浄機能運転を行った後、風呂機能運転を開始するようにしてもよい。風呂機能運転を開始することは、使用者が入浴を目的としているから、洗浄機能運転が行なわれた後、風呂機能運転が連続して行われれば、使用者が再度風呂運転スイッチをオン操作する必要がない。
【００１２】
（３）また、本発明は、湯張り運転、追焚き運転などの風呂機能運転、及び浴槽を自動洗浄する洗浄機能運転が行われる浴槽自動洗浄装置であって、
前記風呂機能運転を行うための風呂運転スイッチ、前記洗浄機能運転を行うための洗浄運転スイッチ、及び報知手段を有するリモコン装置と、
前記洗浄運転スイッチがオン操作された後、洗浄機能運転が終了する前に、前記風呂運転スイッチがオン操作されて第２の運転重複環境になった場合、
前記第２の運転重複環境になったことを使用者に知らせるための第２の警告を報知し、
前記第２の警告の報知から所定時間が経過する前に、前記風呂運転スイッチが再度操作される確認操作が行われない場合、洗浄機能運転のみを継続し、
前記第２の警告の報知から所定時間が経過する前に、前記風呂運転スイッチが再度操作される確認操作が行われた場合、前記洗浄機能運転の運転状態が洗浄液による洗浄工程より前であれば、洗浄機能運転を中止して、風呂機能運転を行ない、前記洗浄機能運転の運転状態が洗浄液による洗浄工程以降であれば、洗浄機能運転を継続し、洗浄機能運転の終了後に風呂機能運転を行なう制御手段とを備える浴槽自動洗浄装置である。
【００１３】
上記浴槽自動洗浄装置によれば、洗浄機能運転が開始された後でも、リモコン装置が風呂運転スイッチのオン操作を受け付け、後から指定した風呂運転スイッチのオン操作が拒否されないため、使用者に違和感を与えない。また、先に指定された洗浄機能運転と後から指定された風呂機能運転とが重複していることを知らせる第２の警告が報知されるため、使用者が洗浄機能運転を開始したことを忘れていた場合や、異なる使用者が風呂機能運転を開始しようとした場合、第２の警告により洗浄機能運転と風呂機能運転とが重複していることを使用者に認知させることができる。そして、使用者が誤って風呂機能運転を後から指定した場合でも、再度風呂運転スイッチが操作されなければ風呂機能運転が開始されないため、洗浄機能運転の中止を防止することができる。一方、使用者が洗浄機能運転を中止して風呂機能運転を優先させたい場合には、風呂運転スイッチを再度操作することにより洗浄機能運転が中止されるが、このとき洗浄機能運転の運転状態が洗浄液による洗浄工程前であれば、浴槽に洗剤が付着していないため、直ちに風呂機能運転を開始させることができる。そして、洗浄機能運転の運転状態が洗浄液による洗浄工程以降であれば、洗浄液を洗い流すすすぎ工程を待って風呂機能運転が開始されるため、浴槽に洗剤が付着したままの状態で風呂機能運転が開始されることを防止できる。
【００１４】
（４）さらに、本発明は、湯張り運転、追焚き運転などの風呂機能運転、及び浴槽を自動洗浄する洗浄機能運転が行われる浴槽自動洗浄装置であって、
前記風呂機能運転を行うための風呂運転スイッチ、前記洗浄機能運転を行うための洗浄運転スイッチ、及び報知手段を有するリモコン装置と、
前記洗浄運転スイッチがオン操作された後、洗浄機能運転が終了する前に、前記風呂運転スイッチがオン操作されて第２の運転重複環境になった場合、
前記第２の運転重複環境になったことを使用者に知らせるための第２の警告を報知し、
前記第２の警告の報知から所定時間が経過する前に、前記風呂運転スイッチが再度操作される確認操作が行われない場合、洗浄機能運転のみを継続し、
前記第２の警告の報知から所定時間が経過する前に、前記風呂運転スイッチが再度操作される確認操作が行われた場合、前記洗浄機能運転の運転状態が洗浄液による洗浄工程より前であれば、洗浄機能運転を中止して、風呂機能運転を行い、前記洗浄機能運転の運転状態が洗浄液による洗浄工程以降であれば、洗浄機能運転を中止するとともに、手動すすぎを必要とする旨のすすぎ警告を報知する制御手段とを備える浴槽自動洗浄装置である。
【００１５】
上記浴槽自動洗浄装置によれば、洗浄機能運転が開始された後でも、リモコン装置が風呂運転スイッチのオン操作を受け付け、後から指定した風呂運転スイッチのオン操作が拒否されないため、使用者に違和感を与えない。また、先に指定された洗浄機能運転と後から指定された風呂機能運転とが重複していることを知らせる第２の警告が報知されるため、使用者が洗浄機能運転を開始したことを忘れていた場合や、異なる使用者が風呂機能運転を開始しようとした場合、第２の警告により洗浄機能運転と風呂機能運転とが重複していることを使用者に認知させることができる。そして、使用者が誤って風呂機能運転を後から指定した場合でも、再度風呂運転スイッチが操作されなければ風呂機能運転が開始されないため、洗浄機能運転の中止を防止することができる。さらに、使用者が洗浄機能運転を中止して風呂機能運転を優先させたい場合には、風呂運転スイッチを再度操作することにより洗浄機能運転が中止されるが、このとき洗浄機能運転の運転状態が洗浄液による洗浄工程前であれば、浴槽に洗剤が付着していないため、直ちに風呂機能運転を開始させることができる。一方、洗浄機能運転の運転状態が洗浄液による洗浄工程以降であれば、浴槽に付着した洗浄液のすすぎ洗浄が必要となるため、手動すすぎが必要である旨のすすぎ警告が報知され、これによって使用者にすすぎ洗浄の必要性を喚起することができ、洗剤が付着したままの状態で浴槽が放置されることを防止できる。
【００１６】
（５）また、本発明は、湯張り運転、追焚き運転などの風呂機能運転、及び浴槽を自動洗浄する洗浄機能運転が行われる浴槽自動洗浄装置であって、
前記風呂機能運転を行うための風呂運転スイッチ、前記洗浄機能運転を行うための洗浄運転スイッチ、及び報知手段を有するリモコン装置と、
前記洗浄運転スイッチがオン操作された後、洗浄機能運転が終了する前に、前記洗浄運転スイッチがオフ操作されて洗浄運転キャンセル環境になった場合、
前記洗浄運転キャンセル環境になったことを使用者に知らせるためのキャンセル警告を報知し、
前記キャンセル警告の報知から所定時間が経過する前に、前記洗浄運転スイッチが再度操作される確認操作が行われない場合、洗浄機能運転を継続し、
前記キャンセル警告の報知から所定時間が経過する前に、前記洗浄運転スイッチが再度操作される確認操作が行われた場合、前記洗浄機能運転の運転状態が洗浄液による洗浄工程より前であれば、洗浄機能運転を中止し、前記洗浄機能運転の運転状態が洗浄液による洗浄工程以降であれば、洗浄機能運転を継続する制御手段とを備える浴槽自動洗浄装置である。
【００１７】
上記浴槽自動洗浄装置によれば、洗浄機能運転が開始された後でも、リモコン装置が洗浄機能運転をキャンセルする洗浄運転スイッチのオフ操作を受け付け、後から指定した洗浄運転スイッチのオフ操作が拒否されないため、使用者に違和感を与えない。また、洗浄運転スイッチがオフ操作されると、先に指定された洗浄機能運転がキャンセルされることを知らせるキャンセル警告が報知されるため、洗浄機能運転が開始されていることを使用者に認知させることができる。そして、使用者が誤って洗浄運転スイッチを後からオフ操作した場合でも、再度洗浄運転スイッチが操作されなければ洗浄機能運転がキャンセルされないため、洗浄機能運転の中止を防止することができる。さらに、使用者が洗浄機能運転を中止したい場合には、洗浄運転スイッチを再度操作することにより洗浄機能運転が中止されるが、このとき洗浄機能運転の運転状態が洗浄液による洗浄工程より前であれば、浴槽に洗剤が付着していないため、直ちに洗浄機能運転を終了させることができる。一方、洗浄機能運転の運転状態が洗浄液による洗浄工程以降であれば、洗浄液を洗い流すすすぎ工程まで行う洗浄機能運転が継続されるため、洗剤が付着したままの状態で浴槽が放置されることを防止できる。
【００１８】
（６）そして、本発明は、湯張り運転、追焚き運転などの風呂機能運転、及び浴槽を自動洗浄する洗浄機能運転が行われる浴槽自動洗浄装置であって、
前記風呂機能運転を行うための風呂運転スイッチ、前記洗浄機能運転を行うための洗浄運転スイッチ、及び報知手段を有するリモコン装置と、
前記洗浄運転スイッチがオン操作された後、洗浄機能運転が終了する前に、前記洗浄運転スイッチがオフ操作されて洗浄運転キャンセル環境になった場合、
前記洗浄運転キャンセル環境になったことを使用者に知らせるためのキャンセル警告を報知し、
前記キャンセル警告の報知から所定時間が経過する前に、前記洗浄運転スイッチが再度操作される確認操作が行われない場合、洗浄機能運転を継続し、
前記キャンセル警告の報知から所定時間が経過する前に、前記洗浄運転スイッチが再度操作される確認操作が行われた場合、前記洗浄機能運転の運転状態が洗浄液による洗浄工程より前であれば、洗浄機能運転を中止し、前記洗浄機能運転の運転状態が洗浄液による洗浄工程以降であれば、洗浄機能運転を中止するとともに、手動すすぎを必要とする旨のすすぎ警告を報知する制御手段とを備える浴槽自動洗浄装置である。
【００１９】
上記浴槽自動洗浄装置によれば、洗浄機能運転が開始された後でも、リモコン装置が洗浄機能運転をキャンセルする洗浄運転スイッチのオフ操作を受け付け、後から指定した洗浄運転スイッチのオフ操作が拒否されないため、使用者に違和感を与えない。また、洗浄運転スイッチがオフ操作されると、先に指定された洗浄機能運転がキャンセルされることを知らせるキャンセル警告が報知されるため、洗浄機能運転が開始されていたことを使用者に認知させることができる。そして、使用者が誤って洗浄運転スイッチを後からオフ操作した場合でも、再度洗浄運転スイッチが操作されなければ洗浄機能運転がキャンセルされないため、洗浄機能運転の中止を防止することができる。さらに、使用者が洗浄機能運転を中止したい場合には、洗浄運転スイッチを再度操作することにより洗浄機能運転が中止されるが、このとき洗浄機能運転の運転状態が洗浄液による洗浄工程より前であれば、浴槽に洗剤が付着していないため、直ちに洗浄機能運転を終了させることができる。一方、洗浄機能運転の運転状態が洗浄液による洗浄工程以降であれば、浴槽に付着した洗浄液のすすぎ洗浄が必要となるため、手動すすぎが必要である旨のすすぎ警告が報知され、これによって使用者にすすぎ洗浄の必要性を喚起することができ、洗剤が付着したままの状態で浴槽が放置されることを防止できる。
【発明の効果】
【００２１】
以上のように、本発明によれば、湯張り運転、追焚き運転などの風呂機能運転、及び浴槽を自動洗浄する洗浄機能運転が行われる浴槽自動洗浄装置において、先に指定された運転操作と異なる運転操作が重複して行われた場合でも、リモコン装置が後から指定された運転操作を受け付けるから、リモコン装置を操作する際に使用者に違和感を与えることがない。また、後から指定した運転を優先させる場合、運転状態に応じて後の運転が行われるため、異なる運転が重複して指定された場合の不都合を回避することができる。
【発明を実施するための最良の形態】
【００２２】
＜実施の形態１＞
図１は、本実施の形態の浴槽自動洗浄装置の一例を示す概略構成図である。この浴槽自動洗浄装置は、給湯器１と、浴槽２と、洗浄ユニット３と、給湯器１及び洗浄ユニット３を遠隔操作するためのリモコン装置４とを備えている。
給湯器１は、給湯用熱交換器１０ａに給水管１１及び出湯管１２が接続された給湯管路１３と、追焚き用熱交換器１０ｂと浴槽２の循環金具２０との間に戻り管１４及び往き管１５が接続された追焚き循環管路１６と、給湯管路１３の出湯管１２から分岐して追焚き循環管路１６の戻り管１４に接続された湯張り管１７とを備えている。各熱交換器１０ａ，１０ｂを加熱する燃焼部１８ａ，１８ｂには燃料ガスを供給するためのガス供給管１９が接続されて燃焼を行うバーナが設けられている。そして、給湯管路１３には、給水管１１に流量センサ１１１と給水温センサ（水温検出器）１１２が設けられ、出湯管１２に出湯温センサ１２１が設けられている。追焚き循環管路１６には、戻り管１４にポンプ１４１、水位センサ１４２及び水流スイッチ１４３が設けられ、往き管１５に風呂温度センサ１５１が設けられている。湯張り管１７には、注湯電磁弁１７１、逆止弁１７２、流量センサ１７３及び大気開放弁１７４が設けられている。なお、大気開放弁１７４は、給水路側が負圧状態に陥ったときに湯張り管１７を大気開放する弁である。
【００２３】
洗浄ユニット３は、浴槽２の外周部に設置されており、弁装置８と、浴槽２に取り付けられた洗浄ノズル３０と、給湯器１の出湯管１２から分岐されて弁装置８と連結された接続管３１と、弁装置８と洗浄ノズル３０とが連結された洗浄管３２と、洗剤原液が貯留される洗剤タンク３３とを備えている。
【００２４】
弁装置８は、水量制御弁８１、流量センサ８２、開閉弁８３、大気開放弁８４、及び逆流防止弁８５を備えている。なお、大気開放弁８４は、給水管１１が負圧状態に陥ったときに大気開放させるための弁である。また、水量制御弁８１は、ステッピングモータなどにより弁の開度を所定位置に調節できる弁である。
【００２５】
洗浄ノズル３０は、循環金具２０と一体に設けられており、浴槽２の内壁面及び浴槽２上に載置された浴槽蓋２１の下面に向けて洗浄液や湯または水などを放射状に噴射させるノズル形状となっている。
【００２６】
洗浄管３２には、ベンチュリー構造の洗剤混合部３４が設けられており、この洗剤混合部３４には、洗剤タンク３３から延設する洗剤供給管３５が接続されている。この洗剤供給管３５には、洗剤タンク３３から洗剤混合部３４への洗剤原液の供給・遮断を制御する洗剤弁３６が配設されている。この洗剤弁３６は、弁が開閉されるとともに弁の開度が所定開度に調節される弁である。
【００２７】
リモコン装置４は、制御手段６と信号接続されており、制御手段６と信号のやり取りを行って、給湯器１や洗浄ユニット３を遠隔操作するものである。そして、このリモコン装置４は、起動スイッチ４１、洗浄運転スイッチ４２、湯張り運転スイッチ４３、追焚き運転スイッチ４４、タッチパネル４５、スピーカなどの音声発生手段４６、及び制御手段６と信号の通信を行う通信部（図示せず）等を備えている。タッチパネル４５は、その画面がタッチ操作されることにより、湯張り設定温度、給湯設定温度、洗浄モード（標準モード、節約モード、念入りモードなど）等を入力し設定するための操作画面や、運転重複環境やキャンセル環境などにある場合の警告や各機能運転の運転状態を表示する。また、音声発生手段４６は、各運転スイッチが操作された際の各機能運転の開始・中止、運転重複環境にある場合の警告、各機能運転の運転状態などを報知する。
【００２８】
制御手段６は、リモコン装置４との間で信号を通信するための通信部６１と、リモコン装置４で指定された運転操作に基づき、給湯器１の各種センサからの検出信号に基づいて湯張り運転、追焚き運転などの風呂機能運転を制御するための風呂制御部６２と、リモコン装置４で指定された操作に基づき、洗浄ユニット３の各種センサからの検出信号に基づき洗浄機能運転を制御するための洗浄制御部６３と、各制御部６２，６３が運転重複環境やキャンセル環境にあるかどうかを判断し、通信部６１に警告信号を送信する運転環境判断部６４と、各機能運転の時間管理や、所定の警告が報知されてからの時間を計測するためのタイマ部６５と、各機能運転の運転状態を判断する運転モード判断部６６と、各機能運転の運転モードが記憶された記憶部６７とを備えている。
【００２９】
上記の構成を有する浴槽自動洗浄装置において、風呂機能運転、洗浄機能運転がそれぞれ単独で行われる場合についてまず説明すると、風呂機能運転が単独で行われる場合は、リモコン装置４の湯張り運転スイッチ４３や追焚き運転スイッチ４４などの風呂運転スイッチがオン操作される。すると、制御手段６の風呂制御部６２は、リモコン装置４で設定される湯張り温度や上記の各センサからの出力などに基づいて湯張り、追焚きの各運転を制御する。すなわち、注湯電磁弁１７１の開弁により湯張り管１７を通じて給湯管路１３側から追焚き循環管路１６に湯が供給され、この湯が戻り管１４及び往き管１５により搬送されて浴槽２への湯張りが行われる湯張り運転が制御される。また、ポンプ１４１の駆動により追焚き循環管路１６を通じて浴槽２内の浴槽水の追焚きが行われる追焚き運転が制御される。
【００３０】
洗浄機能運転が単独で行われる場合は、リモコン装置４の洗浄運転スイッチ４２がオン操作される。すると、まず浴槽２の排水栓２２が開栓され、排水が行なわれる。そして、例えば、標準モードが指定された場合は、「予備すすぎ工程」→「洗浄工程」→「すすぎ工程」が順次行われる。予備すすぎ工程では、洗浄ユニット３の水量制御弁８１が所定開度に設定されるとともに開閉弁８３が開かれ、給湯器１の流量センサ１１１が通水を検出すると燃焼部１８ａが燃焼開始して給湯用熱交換器１０ａが加熱される。これにより、給水管１１からの水が給湯用熱交換器１０ａで加熱され、所定温度（例えば、湯張り設定温度）の湯が出湯管１２及び接続管３１を介して洗浄ユニット３の洗浄管３２に送り込まれる。このとき、洗浄管３２には水量制御弁８１により制御された一定水量の湯が流され、また、洗剤供給管３５の洗剤弁３６は閉じられているので、この湯のみが洗浄ノズル３０から浴槽２の内壁面及び浴槽蓋２１の下面に向けて噴射される。これにより、浴槽２の内壁面に付着している毛、湯垢などの汚れが予備的に洗い流される。この湯の噴射が所定時間行われると、予備すすぎ工程を終了して洗浄工程に移行する。洗浄工程では、上記予備すすぎの状態から洗剤供給管３５の洗剤弁３６が開かれる。すると、洗浄管３２を流れる湯がベンチュリー構造の洗剤混合部３４を通過する際に生じる負圧によって洗剤タンク３３から洗剤原液が洗剤供給管３５を介して洗剤混合部３４に注入され、湯に洗剤原液が混合されて洗浄液が生成される。そして、この洗浄液が洗浄ノズル３０から浴槽２の内壁面及び浴槽蓋２１の下面に向けて噴射される。これにより、浴槽２の内壁面及び浴槽蓋２１の下面に付着している湯垢などの汚れが洗浄される。この洗浄液の噴射が所定時間行われると、洗浄ユニット３の洗剤弁３６及び開閉弁８３を閉じて洗浄ノズル３０からの洗浄液の噴射が停止され、洗浄液が浴槽２の内壁面及び浴槽蓋２１の下面に付着した湯垢などの汚れに浸透し、汚れを浮き上がらせるために一定時間、待機する。洗浄工程が終了すると、すすぎ工程では、基本的には上述の予備すすぎ工程と同様に、洗浄ユニット３の水量制御弁８１が所定開度に設定されるとともに開閉弁８３が開かれる。そして、給湯器１の流量センサ１１１が通水を検出すると燃焼部１８ａが燃焼開始して給湯用熱交換器１０ａが加熱される。すると、所定水量の浄水による湯が洗浄ノズル３０から浴槽２の内壁面及び浴槽蓋２１の下面に向けて噴射される。これにより、浴槽２の内壁面及び浴槽蓋２１の下面において洗浄液により浮き上がらされた湯垢などの汚れが洗浄液とともにきれいに洗い流される。この湯の噴射が所定時間行われると、洗浄ユニット３の開閉弁８３を閉じて、洗浄ノズル３０からの噴射が停止され、すすぎ工程が終了される。節約モードでは、上記の予備すすぎ洗浄を行わずに、洗浄工程以降の運転が行われ、念入りモードでは、上記の洗浄工程において洗浄液の噴射量を増加するとともに、待機時間を延長する運転が行われる。なお、風呂機能運転、洗浄機能運転が単独で指定されている場合に、各機能運転を中止するときには、各運転スイッチをオフ操作することにより、各機能運転をキャンセルすることができる。
【００３１】
（第１の運転重複環境）
次に、湯張り運転スイッチ４３などの風呂運転スイッチがオン操作された後、風呂機能運転が終了する前に、洗浄運転スイッチ４２がオン操作される第１の運転重複環境が生じた場合の運転動作について、図２のフロー図を参照しながら説明する。
例えば、使用者がリモコン装置４の風呂運転スイッチの１つである湯張り運転スイッチ４３をオン操作すると、リモコン装置４から湯張り運転を開始させる湯張り運転開始信号が制御手段６に送信される（Ｓ１）。湯張り運転開始信号を受信すると、風呂制御部６２は湯張り運転を開始する（Ｓ２）。湯張り運転が開始された後、湯張り運転中に洗浄運転スイッチ４２がオン操作されると、リモコン装置４は前記洗浄運転スイッチ４２のオン操作を受け付け、制御手段６に洗浄運転開始信号を送信する（Ｓ３）。制御手段６が洗浄運転開始信号を受信すると、運転環境判断部６４は風呂制御部６２の運転状態を確認し、湯張り運転が開始されているかどうかを判断する（Ｓ４）。そして、風呂制御部６２が湯張り運転を開始している場合には、運転環境判断部６４は第１の警告信号を通信部６１に送信し、通信部６１は第１の警告を報知するための第１の報知信号をリモコン装置４に送信する。すると、第１の報知信号を受信したリモコン装置４は、そのタッチパネル４５や音声発生手段４６から、後から指定された洗浄運転スイッチ４２のオン操作により第１の運転重複環境にあることを使用者に知らせるための第１の警告を報知するとともに、制御手段６はタイマ部６５を起動する（Ｓ５）。この第１の警告は、例えば、「湯張りが開始されています」、「自動洗浄を優先させますか」や、「湯張りを中止して自動洗浄を優先させる場合には、洗浄運転スイッチを再度押してください」などの第１の運転重複環境にあることを使用者に知らせる内容を含んだものであればよい。これにより、使用者は後から指定した運転が受け付けられ、洗浄運転スイッチ４２のオン操作が拒否されないため、リモコン装置４が不全に陥ったなどの違和感を覚えることがない。また、上記第１の警告により、使用者は先に指定した湯張り運転が既に開始されていることや、後から指定した洗浄機能運転を優先させるかどうかを確認できるため、使用者が湯張り運転を開始したことを忘れていた場合や、先に湯張り運転スイッチ４３をオン操作した使用者と異なる使用者が洗浄運転スイッチ４２をオン操作した場合でも、重複した運転を指定したことを使用者に認知させることができる。
【００３２】
次に、第１の警告の報知後、所定時間Ｔ１（例えば、１０秒）内に洗浄運転スイッチ４２が再度押され、確認操作がされたかどうかが判断される（Ｓ６）。第１の警告の報知後、所定時間Ｔ１内に再度洗浄運転スイッチ４２が押されない場合には（Ｓ６でＮＯ）、使用者が洗浄機能運転を望まない場合であるから、湯張り運転を継続する（Ｓ７）。これにより、使用者が誤って洗浄機能運転を後から指定した場合でも、洗浄運転スイッチ４２が再度押されなければ洗浄機能運転が開始されないため、湯張り運転が中途で中止されて湯張りされた湯が無駄になることがない。一方、第１の警告の報知後、所定時間Ｔ１内に洗浄運転スイッチ４２が再度押され、確認操作がされた場合（Ｓ６でＹＥＳ）、リモコン装置４は洗浄運転開始信号を制御手段６に再送信する。そして、所定時間Ｔ１内に洗浄運転開始信号を制御手段６が受信した場合、風呂制御部６２は湯張り運転を中止させる（Ｓ８）。そして、洗浄制御部６３が洗浄機能運転を開始し（Ｓ９）、所定の洗浄機能運転が終了すると（Ｓ１０）、洗浄制御部６３は風呂制御部６２に洗浄機能運転の終了信号を送信し、風呂制御部６２は湯張り運転を最初から開始する（Ｓ１１〜Ｓ１２）。すなわち、使用者が最初に湯張り運転スイッチ４３をオン操作するのは、使用者が入浴を望む場合であるから、洗浄機能運転が終了した後、継続して湯張り運転が行なわれれば、使用者は再度湯張り運転スイッチ４３をオン操作する必要もなくなる。
【００３３】
以上のように、上記第１の運転重複環境における運転動作によれば、風呂機能運転が開始された後、洗浄機能運転がオン操作された場合でも、使用者による洗浄運転スイッチのオン操作が受け付けられるため、使用者はリモコン装置が不全に陥ったなどの違和感を覚えることがない。また、風呂機能運転を開始させたことを使用者が忘れた場合や、風呂機能運転を開始させた使用者と異なる使用者が洗浄運転スイッチをオン操作した場合でも、第１の警告により風呂機能運転が開始されていることを使用者に認知させることができる。さらに、後から指定した洗浄機能運転が受け付けられ、先に指定した風呂機能運転よりも後から指定した洗浄機能運転を優先させることができるため、先の風呂機能運転が終了するまで洗浄機能運転の開始を待つ必要がない。そして、洗浄機能運転終了後には、風呂機能運転が継続して行われるため、再度風呂運転スイッチをオン操作する手間も省くことができる。
【００３４】
（第２の運転重複環境）
次に、洗浄運転スイッチ４２がオン操作された後、洗浄機能運転が終了する前に、湯張り運転スイッチ４３などの風呂運転スイッチがオン操作される第２の運転重複環境が生じた場合の運転動作について図３のフロー図を参照しながら説明する。
使用者がリモコン装置４の洗浄運転スイッチ４２をオン操作すると、リモコン装置４から洗浄機能運転を開始させる洗浄運転開始信号が制御手段６に送信される（Ｓ２１）。洗浄運転開始信号を受信すると、洗浄制御部６３は洗浄機能運転を開始する（Ｓ２２）。洗浄機能運転が開始された後、洗浄機能運転中に湯張り運転スイッチ４３がオン操作されると、リモコン装置４は前記湯張り運転スイッチ４３のオン操作を受け付け、制御手段６に湯張り運転開始信号を送信する（Ｓ２３）。制御手段６が湯張り運転開始信号を受信すると、運転環境判断部６４は洗浄制御部６３の運転状態を確認し、洗浄機能運転が開始されているかどうかを判断する（Ｓ２４）。そして、洗浄制御部６３が洗浄機能運転を開始している場合には、運転環境判断部６４は第２の警告信号を通信部６１に送信し、通信部６１は第２の警告を報知するための第２の報知信号をリモコン装置４に送信する。すると、第２の報知信号を受信したリモコン装置４は、そのタッチパネル４５や音声発生手段４６などから、後から指定された湯張り運転スイッチ４３のオン操作により第２の運転重複環境にあることを知らせるための第２の警告を報知するとともに、制御手段６はタイマ部６５を起動する（Ｓ２５）。この第２の警告は、例えば、「自動洗浄が開始されています」、「湯張りを優先させますか」や、「自動洗浄を中止して、湯張りを開始する場合には、湯張り運転スイッチを再度押してください」などの第２の運転重複環境にあることを使用者に知らせるための内容を含んだものであればよい。これにより、使用者は後から指定した運転が受け付けられ、湯張り運転スイッチ４３のオン操作が拒否されないため、リモコン装置４が不全に陥ったなどの違和感を覚えることがない。また、上記第２の警告により、使用者は先に指定した洗浄機能運転が既に開始されていることや、後から指定した湯張り運転を優先させるかどうかを確認できるため、使用者が洗浄機能運転を開始したことを忘れていた場合や、先に洗浄運転スイッチ４２をオン操作した使用者と異なる使用者が湯張り運転スイッチ４３をオン操作した場合でも、重複した運転を指定したことを使用者に認知させることができる。
【００３５】
次に、第２の警告の報知後、所定時間Ｔ２（例えば、１０秒）内に湯張り運転スイッチ４３が再度押され、確認操作がされたかどうかが判断される（Ｓ２６）。第２の警告の報知後、所定時間Ｔ２内に再度湯張り運転スイッチ４３が押されない場合には（Ｓ２６でＮＯ）、洗浄機能運転のみを継続する（Ｓ２７〜Ｓ２８）。これにより、使用者が誤って湯張り運転を後から指定した場合でも、湯張り運転スイッチ４３が再度押されなければ湯張り運転が開始されないため、洗浄機能運転の中止を防止できる。一方、第２の警告の報知後、所定時間Ｔ２内に湯張り運転スイッチ４３が再度押され、確認操作がされた場合（Ｓ２６でＹＥＳ）、リモコン装置４は湯張り運転開始信号を制御手段６に再送信する。すると、制御手段６は、洗浄制御部６３の洗浄機能運転のそれまで行われた運転モードを確認し（Ｓ２９）、その運転状態に基づき、以降の運転を調整する。すなわち、洗浄機能運転の運転状態が洗剤を含んだ洗浄液が浴槽２内に噴射される洗浄工程以降である場合、洗浄機能運転を中止して、直ちに湯張り運転を行うと、浴槽２に洗剤が付着したままの状態で湯張りされることとなる。このため、運転モード判断部６６は洗浄機能運転の運転状態が洗浄工程より前であるか、洗浄工程以降であるかを判断する。
【００３６】
洗浄機能運転の運転状態が洗浄液による洗浄工程より前であれば（Ｓ２９でＮＯ）、浴槽２内には洗浄液が噴射されていない状態であるから、湯張りしても湯と洗剤とが混合されることがないため、洗浄機能運転を中止し（Ｓ３０）、風呂制御部６２は湯張り運転を直ちに開始することができる（Ｓ３３）。一方、運転モード判断部６６で、洗浄機能運転が洗浄液を浴槽２内に噴射する洗浄工程以降であると判断されると（Ｓ２９でＹＥＳ）、洗浄制御部６３は洗浄機能運転を継続し（Ｓ３１）、一連の工程を終了させる（Ｓ３２）。この際、運転状態が洗浄工程以降であるため、洗浄機能運転を継続させることを報知するようにしてもよい。そして、所定の洗浄機能運転が終了すると、湯張り運転を開始する（Ｓ３３〜Ｓ３４）。すなわち、使用者が洗浄機能運転を中止して、湯張り運転スイッチ４３をオン操作するのは、使用者が入浴を望む場合であるから、洗浄機能運転が完了した後、継続して湯張り運転が行なわれれば、使用者は再度湯張り運転スイッチをオン操作する必要もなくなる。
【００３７】
以上のように、上記第２の運転重複環境における運転動作によれば、洗浄機能運転が開始された後、風呂機能運転がオン操作された場合でも、使用者による風呂運転スイッチのオン操作が受け付けられるため、使用者はリモコン装置が不全に陥ったなどの違和感を覚えることがない。また、洗浄機能運転を開始させたことを使用者が忘れた場合や、洗浄機能運転を開始させた使用者と異なる使用者が風呂運転スイッチをオン操作した場合でも、第２の警告により洗浄機能運転が開始されていることを使用者に認知させることができる。さらに、後から指定した風呂機能運転が受け付けられ、洗浄機能運転の運転状態に応じて、後から指定した風呂機能運転を行なわれるため、洗浄機能運転が中断された場合の不都合を回避することができる。そして、洗浄機能運転の運転状態が洗浄工程より前であれば、先に指定した洗浄機能運転より後から指定した風呂機能運転を優先させることができるため、先の洗浄機能運転が終了するまで風呂機能運転のオン操作を待つ必要がない。
【００３８】
（洗浄運転キャンセル環境）
次に、洗浄運転スイッチ４２がオン操作された後、洗浄機能運転が終了する前に、洗浄運転スイッチ４２がオフ操作される洗浄運転キャンセル環境が生じた場合の運転動作について図４のフロー図を参照しながら説明する。
使用者がリモコン装置４の洗浄運転スイッチ４２をオン操作すると、リモコン装置４から洗浄機能運転を開始させる洗浄運転開始信号が制御手段６に送信される（Ｓ４１）。洗浄運転開始信号を受信すると、洗浄制御部６３は洗浄機能運転を開始する（Ｓ４２）。洗浄機能運転が開始された後、洗浄機能運転中に洗浄運転スイッチ４２がオフ操作されると、リモコン装置４は前記洗浄運転スイッチ４２のオフ操作を受け付け、制御手段６に洗浄運転中止信号を送信する（Ｓ４３）。制御手段６が洗浄運転中止信号を受信すると、運転環境判断部６４は洗浄制御部６３の運転状態を確認し、洗浄機能運転が開始されているかどうかを判断する（Ｓ４４）。そして、洗浄制御部６３が洗浄機能運転を開始している場合には、運転環境判断部６４はキャンセル警告信号を通信部６１に送信し、通信部６１はキャンセル警告を報知するためのキャンセル報知信号をリモコン装置４に送信する。すると、キャンセル報知信号を受信したリモコン装置４は、そのタッチパネル４５や音声発生手段４６などから、後から指定された洗浄運転スイッチ４２のオフ操作により洗浄運転キャンセル環境にあることを知らせるためのキャンセル警告を報知するとともに、制御手段６はタイマ部６５を起動する（Ｓ４５）。このキャンセル警告は、例えば、「自動洗浄が開始されています」、「自動洗浄を中止しますか」や、「自動洗浄を中止する場合には、洗浄運転スイッチを再度押してください」などの洗浄運転キャンセル環境にあることを使用者に知らせるための内容を含んだものであればよい。これにより、使用者は後から指定した運転が受け付けられ、洗浄運転スイッチ４２のオフ操作が拒否されないため、リモコン装置４が不全に陥ったなどの違和感を覚えることがない。また、上記キャンセル警告により、使用者は先に指定した洗浄機能運転が既に開始されていることや、後から指定したキャンセルを優先させるかどうかを確認できるため、使用者が洗浄機能運転を開始したことを忘れていた場合や、先に洗浄運転スイッチ４２をオン操作した使用者と異なる使用者が洗浄運転スイッチ４２をオフ操作した場合でも、異なる運転指示を行ったことを使用者に認知させることができる。
【００３９】
次に、キャンセル警告の報知後、所定時間Ｔ３（例えば、１０秒）内に洗浄運転スイッチ４２が再度押され、確認操作がされたかどうかが判断される（Ｓ４６）。キャンセル警告の報知後、所定時間Ｔ３内に再度洗浄運転スイッチ４２が押されない場合には（Ｓ４６でＮＯ）、使用者が洗浄機能運転のキャンセルを望まない場合であるから、洗浄機能運転を継続する。これにより、使用者が誤って洗浄運転スイッチ４２を後からオフ操作した場合でも、洗浄運転スイッチ４２が再度押されなければ洗浄機能運転が中止されないため、洗浄機能運転のキャンセルを防止できる。一方、キャンセル警告の報知後、所定時間Ｔ３内に洗浄運転スイッチ４２が再度押され、確認操作がされた場合（Ｓ４６でＹＥＳ）、リモコン装置４は洗浄運転中止信号を制御手段６に再送信する。すると、制御手段６は、洗浄制御部６３の洗浄機能運転のそれまで行われた運転モードを確認し（Ｓ４７）、その運転状態に基づき、以降の運転を調整する。すなわち、洗浄機能運転の運転状態が洗剤を含んだ洗浄液が浴槽２内に噴射される洗浄工程以降である場合、洗浄機能運転を中止すると、洗剤が付着したままの状態の浴槽２が放置されることとなる。このため、運転モード判断部６６は洗浄機能運転の運転状態が洗浄工程より前であるか、洗浄工程以降であるかを判断する。
【００４０】
洗浄機能運転の運転状態が洗浄液による洗浄工程より前であれば（Ｓ４７でＮＯ）、浴槽２内には洗浄液が噴射されていない状態であるから、洗浄機能運転を中止しても浴槽２に洗剤が付着していないため、洗浄制御部６３は洗浄機能運転を直ちに中止することができる（Ｓ４８）。一方、運転モード判断部６６で、洗浄機能運転が洗浄液を浴槽２内に噴射する洗浄工程以降であると判断されると（Ｓ４７でＹＥＳ）、洗浄制御部６３は洗浄機能運転を継続し（Ｓ４９）、一連の工程を終了させる（Ｓ５０）。この際、運転状態が洗浄工程以降であるため、洗浄機能運転を継続させることを報知するようにしてもよい。
【００４１】
以上のように、上記洗浄運転キャンセル環境における運転動作によれば、洗浄機能運転が開始された後、洗浄運転スイッチがオフ操作された場合でも、使用者による洗浄運転スイッチのオフ操作が受け付けられるため、使用者はリモコン装置が不全に陥ったなどの違和感を覚えることがない。また、洗浄機能運転を開始させたことを使用者が忘れた場合や、洗浄機能運転を開始した使用者と異なる使用者が洗浄運転スイッチをオフ操作した場合でも、キャンセル警告により洗浄機能運転が開始されている旨を使用者に認知させることができる。そして、後から指定した洗浄機能運転のオフ操作が受け付けられ、洗浄機能運転の運転状態が洗浄工程よりも前であれば直ちに洗浄機能運転が中止されるため、湯の節約を図ることができる。また、該運転状態が洗浄工程以降であれば、所定の工程が完了するまで洗浄機能運転が継続されるため、洗剤が付着したままの状態で浴槽が放置されることを防止することができる。
【００４２】
＜実施の形態２＞
上記実施の形態１では、洗浄運転スイッチ４２がオン操作された後、湯張り運転スイッチ４３などの風呂運転スイッチがオン操作される第２の運転重複環境にある場合や、洗浄運転スイッチ４２がオン操作された後、洗浄運転スイッチ４２がオフ操作される洗浄運転キャンセル環境にある場合、洗浄機能運転の運転状態が洗浄工程以降であれば、一連の工程が終了するまで洗浄機能運転を継続させているが、洗浄機能運転の運転状態が洗浄工程以降であっても洗浄機能運転を中止してもよい。
【００４３】
この運転動作について図５及び６のフロー図を参照しながら説明する。
図中、Ｓ６１〜Ｓ７２（図５）、Ｓ８１〜Ｓ９０（図６）はそれぞれ、上記実施の形態１におけるＳ２１〜Ｓ３０とＳ３３〜Ｓ３４（図３）、Ｓ４１〜Ｓ５０（図４）と同様であるが、洗浄機能運転の運転状態が洗浄工程以降である場合でも（図５のＳ６９，図６のＳ８９で、ＹＥＳ）、洗浄制御部６３は洗浄機能運転を中止する（図５のＳ７３，図６のＳ９１）。そして、制御手段６からリモコン装置４に手動すすぎが必要であることを報知するすすぎ報知信号を送信する。すると、すすぎ報知信号を受信したリモコン装置４は、そのタッチパネル４５や音声発生手段４６から、すすぎ警告を報知する（図５のＳ７４，図６のＳ９２）。このすすぎ警告は、例えば、「自動洗浄が中止されたため、すすぎが必要です」などの手動すすぎが必要であることを使用者に知らせる内容を含んだものであればよい。これにより、洗浄機能運転が洗浄工程以降で中止されたため、浴槽２に洗剤が付着した状態となっていることを使用者に認知させることができる。従って、使用者が手動ですすぎ洗浄を行えば、浴槽２に洗剤が付着したままの状態で放置されることを防止できる。上記運転動作は、例えば、洗浄機能運転の終了を待つことなく、使用者がさらに短時間で浴槽２の洗浄を終了させたい場合に有効である。なお、この場合、湯張り運転スイッチ４３のオン操作を使用者に喚起させるために、湯張り運転スイッチ４３のオン操作が必要であることを報知手段から報知させてもよい。
【００４５】
＜その他＞
上記実施の形態では、風呂制御部６２と洗浄制御部６３とを含む単一の制御手段６を用いて説明したが、風呂機能運転の制御を行う給湯器用制御手段と、洗浄機能運転の制御を行う洗浄ユニット用制御手段とを個別に設けてもよい。
【図面の簡単な説明】
【００４６】
【図１】本発明の実施の形態１に係る浴槽自動洗浄装置の一例を示す概略構成図である。
【図２】本発明の実施の形態１における第１の運転重複環境での運転動作を示すフロー図である。
【図３】本発明の実施の形態１における第２の運転重複環境での運転動作を示すフロー図である。
【図４】本発明の実施の形態１における洗浄運転キャンセル環境での運転動作を示すフロー図である。
【図５】本発明の実施の形態２における第２の運転重複環境での運転動作を示すフロー図である。
【図６】本発明の実施の形態２における洗浄運転キャンセル環境での運転動作を示すフロー図である。
【符号の説明】
【００４７】
１    給湯器
２    浴槽
３    洗浄ユニット
４    リモコン装置
６    制御手段
４２  洗浄運転スイッチ
４３  湯張り運転スイッチ
４４  追焚き運転スイッチ
４５  タッチパネル
４６  音声発生手段
【図１】
0004814268.tif 000002
【図２】
0004814268.tif 000003
【図３】
0004814268.tif 000004
【図４】
0004814268.tif 000005
【図５】
0004814268.tif 000006
【図６】
0004814268.tif 000007